【事件の表示】
　特願２００２−５３６１８８「電気的に加熱可能なハニカム体およびそれを用いた排気ガス浄化装置」拒絶査定不服審判事件〔平成１４年　４月２５日国際公開、ＷＯ０２／３３２２９、平成１６年　４月１５日国内公表、特表２００４−５１１７１０〕について、次のとおり審決する。
【結　論】
　本件審判の請求は、成り立たない。
【理　由】
第１．手続の経緯　
  本件出願は、２００１年１０月１８日（パリ条約による優先権主張外国庁受理２０００年１０月１８日、ドイツ連邦共和国）を国際出願日とする出願であって、平成１５年４月１７日付けで特許法第１８４条の５第１項に規定する書面及び特許法第１８４条の４第１項に規定する翻訳文が提出され、平成１９年４月１７日付けで拒絶理由が通知され、同年７月２３日付けで意見書及び手続補正書が提出されたが、同年１１月７日付けで拒絶査定がなされた、
　そして、平成２０年２月８日に拒絶査定不服審判が請求されるとともに、同年３月７日付けで手続補正書が提出されて明細書を補正する手続補正がされ、平成２１年６月２３日付けで当審において書面による審尋がなされ、平成２１年９月２８日付けで審尋に対する回答書が提出されたものである。
 　  
 　  
 　  
第２．平成２０年３月７日付けの手続補正書による明細書を補正する手続補正についての補正却下の決定  
 　 
［補正却下の決定の結論］  
　平成２０年３月７日付けの手続補正書による明細書を補正する手続補正（以下、「本件補正」という。）を却下する。  
 　　 
［理　由］  
１．本件補正の内容  
　本件補正は、特許請求の範囲に関して、本件補正により補正される前の（すなわち、平成１９年７月２３日付けで提出された手続補正書により補正された）下記の（ｂ）に示す請求項１ないし１３を下記の（ａ）に示す請求項１ないし１２と補正することを含むものである。  
 　  
（ａ）本件補正後の特許請求の範囲  
「【請求項１】　内燃エンジンからの排気ガスを浄化するための電気的に加熱可能なハニカム体
（１）
排気ガスの
前記２つのゾーン（７、９）のうちの、排気ガスの流れの方向（８）における上流側に設けた第１のゾーン（７）は、吸着材料（１０）を含むコーティングを有し、下流側に設けた第２のゾーン（９）は、触媒活性のコーティング（１１）を有する
　　【請求項２】　吸着材料を含む前記コーティングは、ゼオライト構造（１２）を有することを特徴とする、請求項１に記載の電気的に加熱可能なハニカム体（１）。
　　【請求項３】　前記ハニカム体（１）は、少なくとも部分的に排気ガスが中を流れることができるような構造であるシート金属層（１３）を有することを特徴とする、請求項
１または２
　　【請求項４】　前記シート金属層（１３）は、０．０８ｍｍ未満の厚み（１６）を有する金属シート（１４、１５）を用いて設計されることを特徴とする、請求項
３
　　【請求項５】　前記ハニカム体（１）は、排気ガスが中を流れることができるチャネル（３）を有し、前記チャネル（３）の数は、４００　ｃｐｓｉより多いことを特徴とする、請求項１から
４
　　【請求項６】　前記第１のゾーン（７）は、軸（１７）の方向に２０ｍｍ未満の第１の長さ（１８）を有することを特徴とする、請求項１から
５
　　【請求項７】　請求項１から６のいずれかに記載の電気的に加熱可能なハニカム体（１）を有する排気ガス浄化装置であって、前記ハニカム装置（１）は、電気絶縁層（２）を有し、予め規定可能な電流の経路（５）が形成されるように、電気が通るような態様で、少なくとも１つの電極（４）に接続され、前記ハニカム装置（１）は、少なくとも部分的に管状のケーシング（６）に囲まれることを特徴とする、排気ガス浄化装置。
　　【請求項８】　前記少なくとも１つの電極（４）は、絶縁されるような態様（２５）で、前記管状のケーシング（６）を通して案内されることを特徴とする、請求項
７
　　【請求項９】　前記
電気
７
８
　　【請求項１０】　前記
電気
７
９
　　【請求項１１】　請求項１から
１０
　　【請求項１２】　電気的に加熱可能なハニカム体（１）を備えた前記排気ガス浄化装置は、前記主触媒（２１）に担持される（２２）ことを特徴とする、請求項
１１
 　  
（ｂ）本件補正前の特許請求の範囲  
「【請求項１】　内燃エンジンからの排気ガスを浄化するための電気的に加熱可能なハニカム体であって、流れの方向（８）に直列に配置される少なくとも２つのゾーン（７、９）を有し、前記少なくとも２つのゾーン（７、９）が、異なるコーティング（１０、１１）を有するとともに、前記異なるコーティング（１０、１１）を空間的に分離したことを特徴とする、電気的に加熱可能なハニカム体（１）。
　　【請求項２】　第１のゾーン（７）は、吸着材料（１０）を含むコーティングを有し、第２のゾーン（９）は、触媒活性のコーティング（１１）を有することを特徴とする、請求項１に記載の電気的に加熱可能なハニカム体（１）。
　　【請求項３】　吸着材料（１１）を含む前記コーティングは、ゼオライト構造（１２）を有することを特徴とする、請求項２に記載の電気的に加熱可能なハニカム体（１）。　　
　　【請求項４】　前記ハニカム体（１）は、少なくとも部分的に排気ガスが中を流れることができるような構造であるシート金属層（１３）を有することを特徴とする、請求項１から３のいずれかに記載の電気的に加熱可能なハニカム体（１）。
　　【請求項５】　前記シート金属層（１３）は、０．０８ｍｍ未満の厚み（１６）を有する金属シート（１４、１５）を用いて設計されることを特徴とする、請求項４に記載の電気的に加熱可能なハニカム体（１）。
　　【請求項６】　前記ハニカム体（１）は、排気ガスが中を流れることができるチャネル（３）を有し、前記チャネル（３）の数は、４００　ｃｐｓｉより多いことを特徴とする、請求項１から５のいずれかに記載の電気的に加熱可能なハニカム体（１）。
　　【請求項７】　前記第１のゾーン（７）は、軸（１７）の方向に２０ｍｍ未満の第１の長さ（１８）を有することを特徴とする、請求項１から６のいずれかに記載の電気的に加熱可能なハニカム体（１）。
　　【請求項８】　請求項１から７のいずれかに記載の電気的に加熱可能なハニカム体（１）を有する排気ガス浄化装置であって、前記ハニカム体（１）は、電気絶縁層（２）を有し、予め規定可能な電流の経路（５）が形成されるように、電気が通るような態様で、少なくとも１つの電極（４）に接続され、前記ハニカム体（１）は、少なくとも部分的に管状のケーシング（６）に囲まれることを特徴とする、排気ガス浄化装置。
　　【請求項９】　前記少なくとも１つの電極（４）は、絶縁されるような態様（２５）で、前記管状のケーシング（６）を通して案内されることを特徴とする、請求項８に記載の排気ガス浄化装置。
　　【請求項１０】　前記絶縁層（２）は、空隙（１９）であることを特徴とする、請求項８または９に記載の排気ガス浄化装置。
　　【請求項１１】　前記絶縁層（２）は、少なくとも部分的に、支持構造（２０）によって境界を定められることを特徴とする、請求項８から１０のいずれかに記載の排気ガス浄化装置。
　　【請求項１２】　請求項８から１１のいずれかに記載の排気ガス浄化装置を含む触媒コンバータであって、主触媒（２１）が前記排気ガス浄化装置の下流（８）に配置されることを特徴とする、触媒コンバータ。
　　【請求項１３】　電気的に加熱可能なハニカム装置（１）を備えた前記排気ガス浄化装置は、前記主触媒（２１）に担持される（２２）ことを特徴とする、請求項１２に記載の触媒コンバータ。」　  
 　  
 　　 
２．本件補正の適否の検討  
２−１．特許請求の範囲の補正の目的要件の適否  
　本件補正は、本件補正前の請求項１を削除して、本件補正前の請求項２を新たな請求項１にするとともに、本件補正前の請求項２における「第１のゾーン（７）」を「
前記２つのゾーン（７、９）のうちの、排気ガスの流れの方向（８）における上流側に設けた第１のゾーン（７）
前記２つのゾーン（７、９）のうちの、
下流側に設けた第２のゾーン（９）
　上記補正は、平成１８年法律第５５号改正附則第３条第１項によりなお従前の例によるとされる同法による改正前の特許法第１７条の２第４項第２号に規定する特許請求の範囲の減縮を目的とするものに該当する。  
　そこで、本件補正後の請求項１に係る発明（以下、「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法１２６条５項の規定に適合するか）について以下に検討する。  
　
　
２−２．本願補正発明の進歩性に関する独立特許要件について  
２−２−１．引用発明  
（１）原査定の拒絶の理由に引用された、本件優先日前に頒布された国際公開第９８／２０２３８号（以下、「引用刊行物」という。）に記載された事項  
　
　引用刊行物には、以下の事項が図面とともに記載されている。
ア．「1. Field of the Invention 
The present invention relates to a process for controlling the emission of noxious materials in an exhaust gas from an internal combustion engine and to a purification system useful therefor. 」（明細書の第１ページ第３行ないし第７行）
（当審仮訳：「１．発明の分野
  本発明は、内燃機関からの排気ガスにおける有害物質の放出の制御のためのプロセス、及びそのために利用できる浄化システムに関するものである。」）
　
イ．「The first aspect of the invention (i. e., cold-start or restart after standing) requires a purification system having a gas permeable solid material 5 containing an adsorbent and a heterogeneous catalyst. ・・・・・・The catalyst must be capable of converting the noxious materials into innocuous materials when heated above a certain temperature. 」（明細書の第１２ページ第１行ないし第１１行）
（当審仮訳：「本発明の第１態様（即ち放置の後の常温始動又は再始動の場合）では、吸着媒及び不均一触媒を有するガス透過性固体材料５を有する浄化システムが必要である。このガス透過性固体材料は、入口及び出口ポート６を備えた概ね密閉されたコンテナ４に含められる。吸着媒はある温度より低い温度で有害物質を吸着し、その後より高い温度まで加熱したときにそれらを脱離できなければならない。触媒は、ある温度より高い温度まで加熱したとき、有害物質を無害な物質に変換できなければならない。」）
　
ウ．「The catalyst contained in the gas permeable solid material 5 can be any material that promotes the oxidation of unburned HCs and CO to CO2 and H2O, as well as the reduction of nitrogen oxides by CO and HCs to nitrogen and CO2 and H2O. ・・・・・・Also catalysts based on transition metals or combinations of noble and transition metals can be used according with the present invention. 」（明細書の第１２ページ第３６行ないし第１３ページ第１５行）
（当審仮訳：「ガス透過性固体材料５に含められた触媒は、ＣＯ及びＨＣによる窒素酸化物の窒素及びＣＯ2及びＨ2Ｏへの還元と共に、未燃ＨＣ及びＣＯのＣＯ2及びＨ2Ｏへの酸化を促進する任意の材料であり得る。この触媒は高濃度或いは理論混合比の空燃比で動作しているガソリンエンジンからの排気ガスを浄化するために広く用いられている従来型のＴＷＣに類似した貴金属組成物に基づくものであり得る。メタンの酸化において活性なパラジウム触媒は、複式燃料及び天然ガス燃焼エンジンからの排気ガスの処理のために用いることができる。例えばＣｕ−ＺＳＭ−５沸石のようなイオン交換沸石に基づく触媒は、空燃比が高い場合にＮＯｘの還元に対して高度な選択性を示すことが知られており、高濃度の酸素を有する排気ガスの処理のために用いることができる。遷移金属又は貴金属と遷移金属の組み合わせに基づく触媒は、本発明において用いることができる。」）
　
エ．「The adsorbent contained in said gas permeable solid material can be any material that provides for adsorption of HCs from the exhaust gases at low temperature and desorption of the HCs at high temperatures such as carbonaceous adsorbents like activated carbon. More preferable adsorbents are selected from artificial or natural hydrophobic zeolites, such as, for example, Y-type zeolite, ZSM-5, mordenites, chabasites, faujasites, or any other zeolite which possesses high selectivity for HC adsorption.」（明細書の第１３ページ第１６行ないし第２４行）
（当審仮訳：「前記ガス透過性固体材料に含められた吸着媒は、低温で排気ガスからＨＣを吸着し、高温でＨＣを脱離させることができる活性化炭素のような炭素質の吸着媒のような任意の材料であり得る。より好ましい吸着媒は、例えばＹ型沸石、ＺＳＭ−５、モルデン沸石、斜方沸石、フォージャサイト、又はＨＣ吸着に対して高い選択性を有する他の沸石のような人工又は天然の疎水性沸石から選択されたものであり得る。」）
　
オ．「The gas permeable solid material is disposed in container 4 between two ports 6 serving as an inlet and an outlet for the exhaust gases. ・・・・・・Generally these channels can have different sizes along the length of the monolith, however, it is preferred that the channels be essentially equal in size throughout the gas permeable solid material. 」（明細書の第１４ページ第６行ないし第２１行）
（当審仮訳：「ガス透過性固体材料は、コンテナ４の中の排気ガスの入口及び出口としての役目を果たす２つのポート６の間に配設される。コンテナ４は、従来技術の手段を用いて熱的に絶縁され得、ガス透過性固体材料は、任意の適切な形状、例えば球形、円筒形、環状のような形状のランダムにパッケージングされた材料として、或いはセラミック、金属等のようなランダム構造を有するモノリスとして、多孔性気泡体として、又は網型のチャネル等の規則構造として提供され得る。特に好適なのは、排気ガスの通過を促進する直線的で平行なチャネル群を備えたモノリスとして形成されたガス透過性固体材料である。一般にこれらのチャネルは、モノリスの長さ方向に沿って異なるサイズを有し得るが、チャネルのサイズはガス透過性固体材料全体にわたって概ね等しいのが好ましい。」）
　
カ．「Any appropriate method may be used for depositing the catalyst and the adsorbent on the gas permeable solid material. ・・・・・・The extrudate may be dried and calcined. A more preferred method involves depositing or coating liquid precursors of the catalyst and adsorbent over a previously formed packing material or monolith. 」（明細書の第１４ページ第２２行ないし第３２行）
（当審仮訳：「触媒及び吸着媒をガス透過性固体材料に被着するために任意の適切な方法を用いることができる。例えば、適切な結合剤と混合した粘土状又はゲル状のアルミナ水酸化物のようなガス透過性固体材料の前駆物質を、触媒及び吸着媒と混合して、次に押出成形によって適切な形状の粒子又はモノリスに形成することができる。この押出物は乾燥されて焼成され得る。最も好適な方法では、以前に形成されたパッキング材料又はモノリスの上に触媒及び吸着媒の液体前駆物質を被着又はコーティングする。」）
　
キ．「In a preferred form of the invention, the adsorbent is disposed in a central fraction 9 of the gas permeable solid material 5, while the catalyst is disposed in flanking boundary fractions 7 and 8. ・・・・・・As shown in Fig. 1, boundary fractions 7 and 8 of gas permeable solid material 5 are adjacent to ports 6 serving as an inlet and an outlet for receiving and discharging the exhaust gases to purification system 3, and are separated from the central faction of the solid material by dividing means 12.」（明細書の第１５ページ第８行ないし第２１行）
（当審仮訳：「本発明の好適な形態では、ガス透過性固体材料５の中央部分９に吸着媒が配置され、隣接する境界部分７及び８に触媒が配置される。このような好適な形態は第１図及び第２図に模式的に示されており、ここでは線影１０が主として触媒を含む固体材料の部分を示しており、線影１１が主として吸着媒を含む固体材料の中央部分を示している。第１図に示すように、ガス透過性固体材料５の境界部分７及び８は、排気ガスを浄化システム３に放出したり、排気ガスを受け取るための入口及び出口としての役目を果たすポート６に隣接しており、分割手段１２によって固体材料の中央部分から分離されている。」）
　
ク．「During start-up, HCs are retained in the adsorbent contained in the gas permeable solid material. ・・・・・・The catalyst disposed in the boundary fractions effectively oxidizes the HCs (including those desorbed from the adsorbent) preventing their release to the atmosphere. 」（明細書の第１６ページ第１８行ないし第１７ページ第１０行）
（当審仮訳：「始動時、ＨＣはガス透過性固体材料に含められた吸着媒に保持されている。吸着媒がガス透過性固体材料５の中央部分１１に配置され、触媒が隣接する境界部分７及び８に配置されている好適実施例では、低温動作の際にＨＣは主として中央部分のベッド１１に保持されている。流入し、ガス透過性固体材料の境界部分７及び８を通して流れて排出される排気ガスの流れを反転させるサイクルは、エンジンの点火と同時に、若しくはエンジンの点火の直後に開始される。排気ガスの温度が上昇するにつれ、ガス透過性固体材料の温度も上昇を始める。しかし、本発明の方法の周期的な特徴のため、この温度は境界部分と中央部分で異なる速度で上昇する。即ち、排気ガスの流入及び放出のためのポート６に隣接する境界部分は、中央部分より速く加熱される。つまり、主として触媒を含むベッドの部分の温度は、主として吸着媒を含むベッドの部分の温度よりも速く上昇する。吸着媒を含む固体材料の中央部分の温度は次第に上昇し、以前に吸着されていた炭化水素が吸着媒から放出される。これらの炭水化物は予熱されていた下流の境界部分を通して流れる排気ガスにのって運ばれる。境界部分に含められた触媒は効果的にＨＣ（吸着媒から脱離されたものを含む）を酸化し、それらの大気中への放出を防止する。」）
　
ケ．「In another variant shown in Fig. 4, an electric heater 20 may be provided for heating the central fraction of the gas permeable solid material for oxidizing carbon soot deposits when the exhaust gases are from a diesel engine or the like. 」（明細書の第１９ページ第３５行ないし第２０ページ第２行）
（当審仮訳：「第４図に示す別の変更実施例では、排気ガスがディーゼルエンジン等から排出された際に堆積した炭素のすすを酸化するべくガス透過性固体材料の中央部分を加熱するために電子ヒータ２０が設けられている。」）
　 
（２）上記（１）及び図１ないし４からわかること。
ａ．上記（１）キ．及び図１より、上記引用刊行物に記載された「ガス透過性固体材料５」は「中央部分９」、「境界部分７及び８」の３つの部分を有することがわかる。
　
ｂ．上記ａ．に加えて、上記（１）カ．より、上記引用刊行物に記載された「ガス透過性固体材料５」の「中央部分９」は吸着材料を含むコーティングを有し、「境界部分７及び８」は触媒活性のコーティングを有しており、上記３つの部分が異なるコーティングを有することがわかる。
　
ｃ．上記ｂ．に加えて、上記（１）キ．より、上記異なるコーティングは空間的に分離していることがわかる。
　
ｄ．上記ａ．に加えて、図１より、排気ガスの流れの方向における上流側には「境界部分７」、中流には「中央部分９」は、下流側には「境界部分８」がそれぞれ設けられていることがわかる。
　
（３）引用刊行物に記載された発明  
　上記（１）及び（２）並びに図面の記載を総合すると、引用刊行物には次の発明が記載されていると認められる。 
「内燃機関からの排気ガスを浄化するための電気的に加熱可能なガス透過性固体材料５であって、排気ガスの流れの方向に直列に配置される３つの部分を有し、前記３つの部分が、異なるコーティングを有するとともに、前記異なるコーティングを空間的に分離し、前記３つの部分のうちの、排気ガスの流れの方向における上流側に設けた境界部分７は、触媒活性のコーティングを有し、中流に設けた中央部分９は、吸着材料を含むコーティングを有し、下流側に設けた境界部分８は、触媒活性のコーティングを有する、電気的に加熱可能なガス透過性固体材料５。」（以下、「引用発明」という。）
　　
　　
２−２−２．対比  
　本願補正発明と引用発明を対比すると、両者の対応関係は次のとおりである。  
　引用発明における「内燃機関」は、その機能からみて、本願補正発明における「内燃エンジン」に相当する。
　引用発明における「ガス透過性固体材料５」は、上記２−２−１．（１）オ．より、排気ガスの通過を促進する直線的で平行なチャネル群を備えたモノリスとして形成されたものであるから、本願補正発明における「ハニカム体」に相当する。
　引用発明における「排気ガスの流れの方向に直列に配置される３つの部分」と、本願補正発明における「排気ガスの流れの方向に直列に配置される少なくとも２つのゾーン」は、「排気ガスの流れの方向に直列に配置される複数のゾーン」である点で共通である。
　引用発明における「前記３つの部分が、異なるコーティングを有するとともに、前記異なるコーティングを空間的に分離」することと、本願補正発明における「前記少なくとも２つのゾーンが、異なるコーティングを有するとともに、前記異なるコーティングを空間的に分離」することは、「前記複数のゾーンが、異なるコーティングを有するとともに、前記異なるコーティングを空間的に分離」することである点で共通である。
　
　よって、本願補正発明と引用発明とは、
「内燃エンジンからの排気ガスを浄化するための電気的に加熱可能なハニカム体であって、排気ガスの流れの方向に直列に配置される複数のゾーンを有し、前記複数のゾーンが、異なるコーティングを有するとともに、前記異なるコーティングを空間的に分離した、電気的に加熱可能なハニカム体。」
である点で一致し、以下の点で相違する。
　
　本願補正発明においては「排気ガスの流れの方向に直列に配置される複数のゾーン」が「排気ガスの流れの方向に直列に配置される少なくとも２つのゾーン」であり、「前記２つのゾーンのうちの、排気ガスの流れの方向における上流側に設けた第１のゾーンは、吸着材料を含むコーティングを有し、下流側に設けた第２のゾーンは、触媒活性のコーティングを有する」ものであるのに対して、引用発明においては「排気ガスの流れの方向に直列に配置される複数のゾーン」が「排気ガスの流れの方向に直列に配置される３つの部分」であり、「前記３つの部分のうちの、排気ガスの流れの方向における上流側に設けた境界部分７は、触媒活性のコーティングを有し、中流に設けた中央部分９は、吸着材料を含むコーティングを有し、下流側に設けた境界部分８は、触媒活性のコーティングを有する」ものである点（以下、「相違点」という。）。
　
　
２−２−３．判断
　排気浄化装置の技術分野において、排気ガスの流れの方向に直列に配置される２つのゾーンのうちの、上記排気ガスの流れの方向における上流側に吸着手段を、下流側に触媒を、それぞれ空間的に分離して配置して排気浄化性の向上を図るものは本件優先日前において周知の技術（必要があれば、例えば、原査定の拒絶の理由に引用された特開平６−３３７４７号公報の図４、さらに加えて、特開平５−１２５９３１号公報の図１、図４及び図５、特開平８−２８４６４６号公報の図１、特開平６−３３７５２号公報の図４等を参照されたい。以下、「周知技術１」という。）である。
　
　そして、引用発明においては、「吸着材料を含むコーティング」を有する「中流に設けた中央部分９」と、「触媒活性のコーティング」を有する「下流側に設けた境界部分８」とは、「排気ガスの流れの方向」に関して、それぞれ上流側及び下流側の位置関係にあり、上記位置関係において引用発明は上記周知技術１と共通する。
　また、上記２−２−１．（１）ク．で述べたように、引用発明においては、始動時のような低温動作時に「中央部分９」における「吸着材料を含むコーティング」により炭化水素を吸着・保持し、温度の上昇に伴って吸着・保持されている炭化水素を放出し、放出された前記炭化水素を「触媒活性のコーティング」を有する「下流側に設けた境界部分８」にて酸化処理するという機能を有しており、上記機能においても引用発明は上記周知技術１と共通する。
　してみれば、引用発明の備える「ガス透過性固体材料５」に上記周知技術１を適用して上記相違点に係る本願補正発明の発明特定事項を想到することは当業者が容易になし得たものであると認められる。
　
　また、本願補正発明は全体としてみても引用発明及び周知技術１から予測できる作用効果以上の顕著な作用効果を奏するものとも認められない。  
 　  
 　　 
２−２−４．進歩性に関する独立特許要件についての結論　  
　したがって、本願補正発明は、引用発明及び周知技術１に基づいて当該技術分野における通常の知識を有する者が容易に発明することができたものであるから、特許法第２９条第２項の規定により独立して特許を受けることができない。　 
　
　
３．むすび　  
　以上より、本件補正は、平成１８年法律第５５号改正附則第３条第１項によりなお従前の例によるとされる改正前の特許法第１７条の２第５項において準用する同法第１２６条第５項の規定に違反するものであるから、同法第１５９条第１項において読み替えて準用する同法第５３条第１項の規定により却下すべきものである。　  
　よって、結論のとおり決定する。　  
 　  
 　  
 　  
第３．本願発明について  
１．本願発明の認定  
　平成２０年３月７日付けの手続補正書による明細書を補正する手続補正は上記のとおり却下されたので、本件出願の請求項１に係る発明（以下、「本願発明」という。）は、平成１９年７月２３日付けで提出された手続補正書により補正された明細書及び国際出願日における図面の記載からみて、特許請求の範囲の請求項１に記載された事項により特定される次のとおりのものである。  
「内燃エンジンからの排気ガスを浄化するための電気的に加熱可能なハニカム体であって、流れの方向（８）に直列に配置される少なくとも２つのゾーン（７、９）を有し、前記少なくとも２つのゾーン（７、９）が、異なるコーティング（１０、１１）を有するとともに、前記異なるコーティング（１０、１１）を空間的に分離したことを特徴とする、電気的に加熱可能なハニカム体（１）。」　  
 　  
 　  
２．引用刊行物に記載された事項及び引用発明  
　原査定の拒絶の理由に引用された上記引用刊行物の記載事項及び上記引用発明は、前記第２．［理　由］２−２−１．の（１）及び（２）に記載したとおりである。 
 　  
　　
３．対比・判断
　本願発明は、実質的に、上記第２．［理　由］２−１．で検討した本願補正発明における発明特定事項である「前記２つのゾーン（７、９）のうちの、排気ガスの流れの方向（８）における上流側に設けた第１のゾーン（７）は、吸着材料（１０）を含むコーティングを有し、下流側に設けた第２のゾーン（９）は、触媒活性のコーティング（１１）を有する」点を省いたものに相当する。  
　そうすると、本願発明の発明特定事項を全て含む本願補正発明が、上記第２．［理　由］２−２−３．で検討したとおり、引用発明及び周知技術１に基いて当業者が容易に発明をすることができたものであるから、本願発明も、同様の理由により、引用発明及び周知技術１に基いて当業者が容易に発明をすることができたものであると認められる。
　
　なお、審判請求人は平成２１年９月２８日付けの審尋に対する回答書にて特許請求の範囲の補正案を提示しており、その請求項１に係る発明は次のとおりのものである。
「[請求項１]　内燃エンジンからの排気ガスを浄化するための電気的に加熱可能なハニカム体
（１）
前記ハニカム体（１）には、前記少なくとも２つのゾーン（７，９）を含むハニカム体（１）が均一に加熱されるように、予め規定された電流経路（５）が設けられ、前記２つのゾーン（７、９）のうちの、排気ガスの流れの方向（８）における上流側に設けた第１のゾーン（７）は、吸着材料（１０）を含むコーティングを有し、下流側に設けた第２のゾーン（９）は、触媒活性のコーティング（１１）を有する
　
　しかしながら、排気浄化装置の技術分野において、排気浄化装置を構成するハニカム体が均一に加熱されるように、予め規定された電流経路を設けることは本件優先日前において周知の技術（必要があれば、例えば、原査定の拒絶の理由に引用された特公平６−７３６３４号公報、特開平５−１２５９３１号公報を参照されたい。以下、「周知技術２」という。）である。
　してみれば、上記補正案における請求項１に係る発明は、引用発明並びに周知技術１及び２に基づいて当該技術分野における通常の知識を有する者が容易に発明をすることができたものであると認められる。
　よって、上記補正案によっても、本件出願の発明を特許すべきとすることはできない。
　
　
４．むすび  
　以上から、本願発明は、引用発明及び周知技術１に基づいて当該技術分野における通常の知識を有する者が容易に発明をすることができたものであるから、特許法第２９条第２項の規定により特許を受けることができない。  
 　よって、結論のとおり審決する。